(57)【要約】【課題】インバータ回路に搭載されたマイコンへのソフトの誤書込みを防止する。【解決手段】本体１の上面に配置して被加熱物を載置する複数の載置部５を設けたトッププレート２を備え、載置部５のそれぞれの下側の本体１内に加熱コイル３０を備え、加熱コイル３０と対で設けられ加熱コイル３０の通電を制御するためのフラッシュマイコンを設けたインバータ回路３２を備え、前記フラッシュマイコンにソフトを書き込む書込み接続口を前記フラッシュマイコンと対に設け、複数個の書込み接続口３１は、それぞれの書込み接続口３１と対応している加熱コイル３０の配置と同じ配置の順番となるように備えたものである。【選択図】  図４
2013105610.tif 000002
【特許請求の範囲】
【請求項１】
複数の載置部を設けたトッププレートと、
該複数の載置部の各々の下方に設けられた複数の加熱コイルと、
該複数の加熱コイルの各々の通電を制御する複数のフラッシュマイコンと、
該複数のフラッシュマイコンの各々にソフトを書き込むための複数の書込み接続口と、を備えた誘導加熱調理器であって、
前記複数の書込み接続口の配置の順番は、前記複数の加熱部の配置と対応していることを特徴とする誘導加熱調理器。
【請求項２】
本体の上面に配置して被加熱物を載置する複数の載置部を設けたトッププレートを備え、前記載置部のそれぞれの下側の前記本体内に加熱コイルを備え、該加熱コイルと対で設けられ該加熱コイルの通電を制御するためのフラッシュマイコンを設けたインバータ回路を備え、前記フラッシュマイコンにソフトを書き込む書込み接続口を前記フラッシュマイコンと対に設け、複数個の該書込み接続口は、それぞれの前記書込み接続口と対応している前記加熱コイルの配置と同じ配置の順番となるように備えたことを特徴とする誘導加熱調理器。
【発明の詳細な説明】
【技術分野】
【０００１】
本発明は、プログラムの書き換えが可能な誘導加熱調理器に関するものである。
【背景技術】
【０００２】
従来、この種の加熱調理器は、本体の上面にトッププレートを設け、本体にトッププレートの上面に配置された加熱調理の制御命令を入力する操作部と、その操作部に近接して配置する表示部と、トッププレートの下方の本体内に複数個の加熱コイルを備える。そして、その複数個の加熱コイルを駆動するインバータ部と、駆動を制御する制御部と、加熱コイルと本体内部を冷却するための冷却ファンが備えられている構造のものが知られている。
【０００３】
そして、インバータ部と制御部には、フラッシュマイコンを搭載している。本体を組み上げた後でもプログラムの書き換えができるため、プログラムの改良バージョンに書き換えて不具合のない状態で顧客に出荷できるため広く利用されている。
【０００４】
例えば、特許文献１には、業務用調理器の中に組み込まれる電磁誘導加熱インバータで、加熱コイルが１個で略箱型のメインケース側面に横長穴の切換窓を設け、メインケース内にインバータ基板と制御基板を略水平に配置している。インバータ基板と制御基板にフラッシュマイコンを搭載しフラッシュマイコンに接続される書込みコネクタを備え、メインケースの切換窓から制御プログラムの書込み端子を書込みコネクタに接続して、フラッシュマイコンに制御プログラムの書込みができるように制御基板の部品取付け面に略平行の向きで取り付けられている。そして、書込み終了後は、切換窓に平板状の切換えカバーを側面からネジ止めするものがある。
【０００５】
そのため、メインケースの側面からネジを外して切換えカバーを外して、メインケースの側面に開口する横長穴の切換窓の中に現れる書込みコネクタ（書込み接続口）に切換窓の外からプログラムの書込み端子を真横から挿入して、書込みコネクタと接続してプログラムを書き込むものであった。
【先行技術文献】
【特許文献】
【０００６】
【特許文献１】特開２０１０−２７７６９１号公報
【発明の概要】
【発明が解決しようとする課題】
【０００７】
しかしながら、複数の加熱コイルを設けた誘導加熱調理器では、加熱コイルへ供給する電源を作るインバータ回路は加熱コイルの数と同じ数だけ搭載されている。そして、各インバータ回路にはマイコンのソフトを書込むためのコネクタが設けられている。そのために、各コネクタが、どのインバータ回路のマイコンに書込むためのコネクタなのかが分かりづらく、意図しないインバータ回路のマイコンに誤ってソフトを書込んでしまう恐れがあるという課題があった。
【０００８】
そこで、本発明ではソフトを書込む作業を行う際に、複数ある書込み用のコネクタのうち、どれがどのインバータ回路のマイコンの書込みコネクタなのかを容易に分かるようにすることを目的とする。
【課題を解決するための手段】
【０００９】
本発明は上記の問題を解決するためになされたものであり、本体の上面に配置して被加熱物を載置する複数の載置部を設けたトッププレートを備え、前記載置部のそれぞれの下側の前記本体内に加熱コイルを備え、該加熱コイルと対で設けられ該加熱コイルの通電を制御するためのフラッシュマイコンを設けたインバータ回路を備え、前記フラッシュマイコンにソフトを書き込む書込み接続口を前記フラッシュマイコンと対に設け、複数個の該書込み接続口は、それぞれの前記書込み接続口と対応している前記加熱コイルの配置と同じ配置の順番となるように備えたものである。
【発明の効果】
【００１０】
本発明によれば、上記のように構成することで、インバータ回路にソフトを書込む作業を行う際に、作業者が書込み接続口を正面に見る方向から本体のトッププレート上にある鍋の載置部の配置を見ることで、複数ある書込み接続口がどのインバータ回路に搭載されたマイコンの書込み接続口なのかを容易に認識することができき、意図しないインバータ回路に搭載されたマイコンへのソフトの誤書込みを防止することができる。
【図面の簡単な説明】
【００１１】
【図１】一実施例の誘導加熱調理器をシステムキッチンに組み込んだ状態の斜視図である。
【図２】一実施例の誘導加熱調理器の斜視図である。
【図３】一実施例の誘導加熱調理器の構成を説明するブロック図である。
【図４】一実施例の誘導加熱調理器の加熱コイルの位置を示す鍋位置表示部と書込み接続口の配置関係を示す説明図である。
【発明を実施するための形態】
【００１２】
以下、本発明の実施例を上記した図面に従って説明する。
【００１３】
まず、図１および図２を用いて一実施例の誘導加熱調理器の全体構成について説明する。なお、図１は誘導加熱調理器の本体をシステムキッチンに組み込んだ後に、前面操作部１０を開いた状態を示し、図２は誘導加熱調理器の本体をシステムキッチンに組み込む前で、前面操作部１０を閉じた状態を示す。
【００１４】
図１において、１は、誘導加熱調理器の本体である。２は、本体１の上面を覆うトッププレートで、耐熱性の高い素材、例えば、結晶化ガラス等が用いられ、その上面には鍋等の被加熱物が載置される。３は、トッププレート枠であり、トッププレート２の周囲の端部を覆うもので、トッププレート２との間にはシール材が充填されており、これによりトッププレート枠３はトッププレート２に固着されている。そして、トッププレート２の上に液体がこぼれても、シール材により本体１内部への水の浸入が防止され水密構造が実現される。また、トッププレート枠３は本体１にも固定されていて、本体１をシステムキッチン１３に組み込むときには、トッププレート枠３で本体１を吊り下げて設置される。
【００１５】
５は載置部であり、調理器具（被加熱物）を載置する位置を表示していて、本誘導加熱調理器では、右側載置部５ａと中央奥側載置部５ｂと左側載置部５ｃの三ヶ所に設けられている。加熱コイルは、載置部５の裏側に設けられ載置部５に載置した調理器具を誘導加熱するものである。そして、右側載置部５ａの裏側に加熱コイル３０ａ、中央奥側載置部５ｂの裏側に加熱コイル３０ｂ、左側載置部５ｃの裏側に加熱コイル３０ｃが配置されている。
【００１６】
６はグリル加熱手段であり、加熱コイル３０の下方で本体１の左側または右側（本実施例では左側）の本体１前面部に設けられ、矩形状の箱体で構成されていて、中に入れられた魚などの被加熱物を加熱するシーズヒータ等の加熱手段を有している。７はグリル加熱手段６の扉で、取っ手７ａが設けられており、グリル加熱手段６の内部には扉７に伴って出し入れ可能な受け皿（図示せず）が収納されている。
【００１７】
８は、トッププレート枠３の後枠部に開口する吸気部であり、後記するインバータ回路３２や加熱コイル３０等を冷却する空気を吸気する。９は、トッププレート枠３の後枠部に開口する排気部であり、インバータ回路３２（図３）や加熱コイル３０等を冷却した空気やグリル加熱手段６からの排煙を排気する。そして、吸気部８、及び排気部９は、トッププレート２上にこぼした液体が開口部から吸気部８や排気部９内に落下しても本体１内部のインバータ回路３２等に浸入しない構成となっている。
【００１８】
１０は、開閉収納式の前面操作部で、主にグリル加熱手段６を操作するものであり、本実施例ではグリル加熱手段６の隣に位置するように本体１の前面右側に設けられている。また、前面操作部１０は、閉じているときに上部を本体１側に押すことによりロック装置（図示せず）が解除され、前面操作部１０の上部が前面側にバネと制御装置（図示せず）により前面側にゆっくりと回動して飛び出すようになっており、逆に閉じるときは上部を本体１側に向かって押し込むことにより本体１に収納され、ロック装置により保持される構成となっている。前面操作部１０の前面操作キー１０ａは、グリル加熱手段６のシーズヒータを入切する等の操作を行い、前面操作キー１０ａで操作した内容は前面表示部１０ｂで使用者に判り易く表示される。
【００１９】
１１は、電源切／入スイッチで、本体１前面に設けられ、本体１の主電源の入切を行う。１１ａは、パネルカバーで、このパネルカバーを外すことで後述する書込み接続口３１（図４）にアクセスできる。
【００２０】
１２は、上面操作部で、載置部５より前側に設けられており、夫々の加熱コイル３０の出力等を調整する上面操作キー１２ａ（図３）から構成されている。上面操作部１２の奥側に上面表示部１４を配置し、夫々の上面操作部１２の設定などを表示する。
【００２１】
図３は誘導加熱調理器の回路構成を説明するブロック図である。図３において、３０１は、誘導加熱調理器に入力する商用電源である。３０２は、グリル加熱手段６の内部に入れられた被加熱物を加熱するシーズヒータである。３０３は、シーズヒータ３０２へ供給する電力を制御するヒータ制御回路である。３２（３２ａ、３２ｂ、３２ｃ）は、夫々の加熱コイル３０（３０ａ、３０ｂ、３０ｃ）の通電を制御するインバータ回路である。３０７は、マイクロコンピュータで構成された制御手段で、前面操作キー１０ａや上面操作部１２の操作信号を入力し、前面表示部１０ｂや上面表示部１４に表示信号を出力する。また、シーズヒータ３０２の通電を制御するヒータ制御回路３０３や、加熱コイル３０の通電を制御するインバータ回路３２に制御信号を出力する。
【００２２】
３１（３１ａ〜３１ｃ）は書込み接続口で、インバータ回路３２を制御しているフラッシュマイコンのソフトを書き換えるためロムライターを接続するためのコネクタである。書込み接続口３１ａは加熱コイル３０ａに電力を供給するインバータ回路３２ａに外部からロムライターを接続してソフトの書込みを行うものである。書込み接続口３１ｂは加熱コイル３０ｂに電力を供給するインバータ回路３２ｂに外部からロムライターを接続してソフトの書込みを行うものである。書込み接続口３１ｃは加熱コイル３０ｃに電力を供給するインバータ回路３２ｃに外部からロムライターを接続してソフトの書込みを行うものである。
【００２３】
３１１は温度検出器で、トッププレート２の下面の温度を検出し、被加熱物である鍋の温度を、トッププレート２を介して検出する。３０８は、フィルタ回路を搭載したフィルタ手段であり、インバータ回路３２より生じる雑音ノイズを抑制し、雑音ノイズが商用電源３０１に漏洩することを防ぐ。
【００２４】
図４は３つの加熱コイル３０と３つの書込み接続口３１の位置関係を表した誘導加熱調理器の正面上方斜視図である。図４において、誘導加熱調理器の本体１を正面から見て、３つの書込み接続口３１と３つの加熱コイル３０の配置について説明する。書込み接続口３１は、本体１の前面側に設けられ、右側から書込み接続口３１ａ、書込み接続口３１ｂ、書込み接続口３１ｃの順番に配置され、加熱コイル３０の配置は、右側から右側載置部５ａに配置された加熱コイル３０ａ、中央奥側載置部５ｂに配置された加熱コイル３０ｂ、左側載置部５ｃに配置された加熱コイル３０ｃの順番に配置されている。
【００２５】
そして、書込み接続口３１と加熱コイル３０との関係は、前述しているように、書込み接続口３１ａは加熱コイル３０ａに電力を供給するインバータ回路３２ａに外部からロムライターを接続してソフトの書込みを行うもので、書込み接続口３１ｂは中央奥側載置部５ｂに電力を供給するインバータ回路３２ｂに外部からロムライターを接続してソフトの書込みを行うもので、書込み接続口３１ｃは左側載置部５ｃに電力を供給するインバータ回路３２ｃに外部からロムライターを接続してソフトの書込みを行うものである。
【００２６】
上記した本実施例によれば、３個所の右側載置部５ａと中央奥側載置部５ｂと左側載置部５ｃの配置した順番と同じになるように、右側から書込み接続口３１ａ、書込み接続口３１ｂ、書込み接続口３１ｃの順に配置することで、ソフト書込み作業を行う際に、加熱コイル３０ａ、３０ｂ、３０ｃの位置を示す載置部５の配置を見ることで、容易にどの書込み接続口３１がどのインバータ回路３２への書込み接続口３１なのかを認識することができ、誤書込みを防ぐことができる。
【符号の説明】
【００２７】
１  本体
２  トッププレート
３  トッププレート枠
５  載置部
６  グリル加熱手段
１０  前面操作部
１２  上面操作部
３０  加熱コイル
３１  書込み接続口
３２  インバータ回路
３０７  制御手段
【図１】
2013105610.tif 000003
【図２】
2013105610.tif 000004
【図３】
2013105610.tif 000005
【図４】
2013105610.tif 000006